(57)【要約】【課題】  ワンタッチで結合を可能にした管結合構造を提供する。【解決手段】  挿入管部（連結管部２６、２７）と該挿入管部に挿入される被挿入管部（嵌合連結部７２）とを備え、前記挿入管部と前記被挿入管部とを結合する管結合構造を構成し、前記挿入管部の周面に形成された第１の突部（係止突部１３０）と、この第１の突部と直交方向に前記第１の突部と同一又は同等の高さで形成された第２の突部（係合案内部１３２）と、前記被挿入管部の内壁面に形成されて前記第１の突部が挿入される凹部（係止凹部１４２）と、前記被挿入管部の開口部にスリット（１３８）によって他の部分と区分され、前記第２の突部が着脱される挿入案内部（挿入案内片１４０）とを備えている。【選択図】        図１３
2004170067.tif 000002
【特許請求の範囲】
【請求項１】
挿入管部と該挿入管部に挿入される被挿入管部とを備え、前記挿入管部と前記被挿入管部とを結合する管結合構造であって、
前記挿入管部の周面に形成された第１の突部と、
この第１の突部と直交方向に前記第１の突部と同一又は同等の高さで形成された第２の突部と、
前記被挿入管部の内壁面に形成されて前記第１の突部が挿入される凹部と、
前記被挿入管部の開口部にスリットによって他の部分と区分され、前記第２の突部が着脱される挿入案内部と、
を備えたことを特徴とする管結合構造。
【請求項２】
前記第１の突部は、環状又は円弧状であることを特徴とする請求項１記載の管結合構造。
【発明の詳細な説明】
【技術分野】
【０００１】
本発明は、浴槽への給湯、浴槽水の追焚循環や洗濯機等への給水等に用いられる循環口の連結や水管等の連結に用いられる管結合構造に関する。
【背景技術】
【０００２】
従来、浴槽への給湯や浴槽水の追焚循環は、浴槽の壁面部に形成された循環口を通して行われており、浴槽水を洗濯等に再利用する場合、その循環口に取り付けられた循環具に外部ホースを連結して浴槽水を取り出すことが行われている。
【０００３】
浴槽内の循環部品には合成樹脂が使用されているが、管路間の連結には連結部に形成されたねじが用いられている。
【０００４】
浴槽の循環口の循環パイプユニットに関する特許文献として、次のようなものが存在する。
【特許文献１】特開平１０−１１１０２４号公報
【発明の開示】
【発明が解決しようとする課題】
【０００５】
洗濯等の外部給水のために、外部ホース以外の部品を着脱することは非常に面倒であり、その着脱のために浴槽側の循環口部の構造が複雑化する。また、浴槽内の突出部が大きくなると、入浴者に違和感を与えることになる。また、工事担当者からすれば、施工が容易であることが望ましい。また、給湯時、熱い湯が入浴者側に噴出することは不快感を生じさせ、安全性を高める上からも回避する必要がある。また、浴槽水を追焚して外部に給水する場合、浴槽内の湯垢等を取り除くことが必要である。また、循環口は浴槽底面より高い位置に形成されており、循環口から浴槽水を引き込む場合、循環口より低位の浴槽水を利用することができない。また、循環口アダプタの吸引口と出湯口を共通にした場合、湯垢を遮断するフィルタを設置しても、浴槽水の吸引とは水流方向が変わる出湯時には、フィルタに付着した湯垢が浴槽側に戻って不快感を生じさせるという不都合がある。
【０００６】
また、連結部にねじを多用することは、連結部を強固にする反面、ねじ込み作業に手間取り、施工時間が長くなるという不都合がある。
【０００７】
特許文献１は、斯かる課題やその解決手段を開示したものではなく、特許文献１に開示された構成ではワンタッチで管結合を実現することはできない。
【０００８】
そこで、本発明は、ワンタッチで結合を可能にした管結合構造を提供することを目的とする。
【課題を解決するための手段】
【０００９】
上記目的を達成するため、本発明の管結合構造は、挿入管部（連結管部２６、２７）と該挿入管部に挿入される被挿入管部（嵌合連結部７２）とを備え、前記挿入管部と前記被挿入管部とを結合する管結合構造であって、前記挿入管部の周面に形成された第１の突部（係止突部１３０）と、この第１の突部と直交方向に前記第１の突部と同一又は同等の高さで形成された第２の突部（係合案内部１３２）と、前記被挿入管部の内壁面に形成されて前記第１の突部が挿入される凹部（係止凹部１４２）と、前記被挿入管部の開口部にスリット（１３８）によって他の部分と区分され、前記第２の突部が着脱される挿入案内部（挿入案内片１４０）とを備えた構成である。
【００１０】
斯かる構成によれば、挿入管部の第２の突部を被挿入管部の挿入案内部に合わせ、挿入管部を被挿入管部に挿入すると、第２の突部によって例えば、径小に形成されている挿入案内部が押し広げられて挿入管部の第１の突部が被挿入管部の凹部に嵌合する。この状態で被挿入管部の挿入案内部と挿入管部の第２の突部との周面方向の位置を変更することで、挿入案内部と第２の突部との係合状態が外れて凹部及び第１の突部による係合に変化し、挿入管部と被挿入管部とが強固に連結される。また、両者の結合を解除するには、挿入管部の第２の突部を被挿入管部の挿入案内部に合わせて両者間に引張り力を作用させることで、両者を外すことができる。
【００１１】
上記目的を達成するためには、前記第１の突部は、環状又は円弧状である構成としてもよい。
【発明の効果】
【００１２】
以上説明したように、本発明によれば、ワンタッチで結合を可能にした管結合構造を提供でき、施工の容易性とともにメンテナンスの簡易化を図ることができる。
【発明を実施するための最良の形態】
【００１３】
本発明の実施形態について、図１及び図２を参照して詳細に説明する。図１は循環口アダプタの正面図、図２はその右側面図を示している。
【００１４】
この循環口アダプタは、外装部材として長円形のカバー２によって被覆され、このカバー２に形成された円形の窓部４には浴槽水を吸引する吸引部６が形成され、この吸引部６には回動によって着脱可能なキャップ８が取り付けられている。カバー２には固定位置を表す突部１０、キャップ８の離脱位置を表す指示手段として三角形状の突部１２が形成され、キャップ８の中央にはその回動位置を表す指示手段として矢印状の突部１４が形成されている。また、キャップ８には複数の吸引口１６が放射状に形成され、各吸引口１６には濾過手段として金網等からなるフィルタ１８が取り付けられている。
【００１５】
そして、カバー２の側面部にはカバー片２０を取り除いてＵ字形の窓部２２が形成されており、この窓部２２には分岐管部２４の第１の連結管部２６が突出している。この連結管部２６には外部ホース２８が取り付けられ、連結管部２６から吐出する浴槽水が洗濯等に供される。
【００１６】
また、図２に示すように、浴槽３０の側壁に形成された循環口３２に貫通させた循環パイプユニット３４には循環口アダプタの背面部に突出した循環連結部３６がねじ部３８によって固定され、この循環連結部３６に貫通させた循環連結パイプ４０とともに循環路を形成している。即ち、循環口アダプタは図示しない給湯源である給湯回路に連結されるとともに、図示しない追焚回路に連結されており、この循環口アダプタを通して浴槽３０への給湯や、浴槽水の追焚循環等が行われる。そして、この循環口アダプタでは、吸引部６が循環口３２より下側、即ち、浴槽３０の底面側に垂下されて配置されているため、循環口３２より低い水位の浴槽水を吸い上げることができ、浴槽水の再利用効率を高めることができる。
【００１７】
次に、図３〜図５にはこの循環口アダプタのカバー２が示され、図３はカバー片２０を切り離す前のカバー２の側面図、図４はカバー片２０を切り離す前のカバー２の背面図、図５は図４のＶ−Ｖ線断面図を示している。
【００１８】
このカバー２の上部側面部には左右に切り離し可能なＵ字形のカバー片２０が形成されており、このカバー片２０はその周囲部に細い溝部４２及び透孔４４を形成して区画したものであり、溝部４２による薄肉及び透孔４４によって容易にカバー２から切り離すことができる。図１及び図２に示す循環口アダプタのカバー２では、右側のカバー片２０が切り離されて窓部２２が形成されている。また、このカバー２の前面側に形成された円形の窓部４の内側にはフランジ部４３が形成されている。また、カバー２の下側部には水を吐出させるための窓部４５が形成されている。この実施例では、傾斜を成す切り落としによって窓部４５が形成されている。
【００１９】
また、カバー２の背面上部中央には、分岐管部２４と係合する係合部４６が形成されるとともに、突壁部４８が形成されている。係合凹部４６は円筒状突部によって形成され、その内部に分岐管部２４の一部が挿入されて係合する。また、カバー２の背面には、分岐管部２４の一部と係合する係合手段として突壁部４８を挟んで一対の把持片５０、５２が突設されている。把持片５０、５２は、例えば、合成樹脂で形成されているカバー２と一体成形され、合成樹脂が持つ弾性を備えているので、把持片５０、５２の間隔を分岐管部２４の外径より僅かに狭くすることにより、把持片５０、５２間に適当な弾性力によって分岐管部２４を強固に把持することができる。これによって、分岐管部２４にカバー２が固定される。この実施例では、各把持片５０、５２及びカバー２を補強するため、リブ５４が形成され、各リブ５４は図５に示すように、カバー２の肉厚より高く形成されている。また、窓部４の上側縁部には本体部側と分岐管部２４との結合部分を収容する切欠凹部５６が形成されている。
【００２０】
次に、分岐管部２４及び本体部について、図６〜図９を参照して説明する。図６は分岐管部２４及び本体部、図７は図６の VII−VII 線断面、図８は本体部の分解構造、図９はキャップ及び本体部を示している。
【００２１】
この循環口アダプタは、図６に示すように、カバー２の内部に分岐管部２４とこの分岐管部２４に連結された本体部５８が収納されている。分岐管部２４には循環連結部３６に固定するための手段として円形碗状の固定盤６０が設けられ、連結管部２６、２７の分岐部分にはカバー２の係合凹部４６に挿入されてカバー２と分岐管部２４とを係合させるための係合突部５９が形成されている。また、固定盤６０の背面側に循環連結部３６が挿入され、固定盤６０の背面部には図７に示すように、円筒状の嵌合突部６１が突設され、この嵌合突部６１はその径小部分にＯリング６３を介在させて循環連結部３６に挿入されて固定されている。そして、この固定盤６０には循環連結部３６の複数の固定部に対応した角度間隔で複数の透孔６２が形成され、この透孔６２から固定ねじ６４を締め付けることにより、分岐管部２４が強固に固定される。
【００２２】
また、この分岐管部２４の固定盤６０の中心部には、図７に示すように、背面側に循環連結パイプ４０が突設され、この循環連結パイプ４０と連通している第１の連結管部２６が形成されているとともに、連結管部２６内で循環連結パイプ４０の外側の通路と分離されて循環パイプユニット３４と連通する第２の連結管部２７が形成され、連結管部２６、２７は所定の角度例えば、８０度の角度で形成されている。これら連結管部２６、２７の先端部には小径部分には外部ホース２８や本体部５８とを水密状態で連結するため、Ｏリング６６が取り付けられている。この実施例では、連結管部２６が開放され、連結管部２７側に本体部５８が連結されているが、循環連結部３６に対して固定盤６０を連結管部２６が下方になるように取り付けることにより、連結管部２６に本体部５８を取り付けることができ、固定盤６０の取付け角度の変更によって連結管部２６又は連結管部２７に本体部５８を選択的に連結することができる。また、連結管部２６、２７は円筒形であり、固定盤６０の前面側からの張出しを最小限にするため、固定盤６０には連結管部２６、２７に対応して切欠部６８、７０が形成され、循環口アダプタのコンパクト化に寄与している。
【００２３】
そして、本体部５８には連結管部２７と連結される嵌合連結部７２に２つの分離された通路として、浴槽３０の浴槽水を吸い上げるときに用いる吸引通路７４と、循環連結パイプ４０側の水を浴槽３０側に流し込むときに用いる吐出通路７６とが形成され、この吐出通路７６は吐出口７７に連通している。本体部５８は複数の固定突部７８及びねじ８０を用いて固定された前面遮蔽板８２によって閉塞され、この前面遮蔽板８２には吸引通路７４に連通する吸引口８３、８５が形成されるとともに、ねじ８０を貫通するための透孔８７が形成されている。
【００２４】
そして、本体部５８には吸引通路７４及び吐出通路７６を区画分離するための囲壁８４、８６が形成され、吸引通路７４側には一対の軸受部８８によって弁体９２、一対の軸受部９０によって弁体９４が開閉可能に取り付けられ、また、吐出通路７６側には一対の軸受部９６によって弁体９８が開閉可能に取り付けられている。弁体９２、９４は、各軸受部８８、９０によって回動可能に支持される軸部１００に板状の弁板１０２が形成されるとともに、前面遮蔽板８２に当たって弁板１０２を吸引通路７４側に形成された弁座部１０４に当接させる支持手段として支持片１０６が形成されている。弁体９２、９４は弾性材料として例えば、ゴムで形成されており、この弾性を利用して支持片１０６を以て弁座部１０４に弁板１０２を当接させて吸引時以外は常閉弁として機能し、吸引時、水の圧力を利用して弁板１０２が弁座部１０４から離れ、水の吸引を可能にする。吐出時、その吐出力によって弁板１０２が弁座部１０４側に圧接状態となり、吸引通路７４が吐出通路７６と分離状態となる。
【００２５】
また、弁体９８も同様に、一対の軸受部９６によって回動可能に支持される軸部１０８に板状の弁板１１０が形成されるとともに、前面遮蔽板８２に当たって弁板１１０を吐出通路７６側に形成された弁座部１１２に当接させる支持手段として一対の支持片１１４が形成されている。弁体９８も同様に弾性材料として例えば、ゴムで形成されており、この弾性を利用して支持片１１４を以て弁座部１１２に弁板１１０を当接させて吐出時以外は常閉弁として機能し、吐出時、水の圧力を利用して弁板１１０が弁座部１１２から離れ、水の吐出を可能にする。吸引時、その吸引力によって弁板１１０は弁座部１１２側に圧接状態となり、吐出通路７６が吸引通路７４と分離状態となる。
【００２６】
そして、本体部５８の背面部には浴槽３０の内壁面に当接させて本体部５８を浴槽３０の内壁面と平行に維持するための支持手段として支持突部１１６が本体部５８と一体に形成されている。また、本体部５８の周面部にはフランジ部１１８が形成されているとともに、カバー２の窓部４側のフランジ部４３の内側に係止させる係止突部１２０がフランジ部１１８より高く形成されている。そして、本体部５８の前面側の周壁部には選択的に複数の溝部１２２が形成され、この溝部１２２の一部が本体部５８の前面側に挿入部１２４として開放されている。これに対し、キャップ８の内周面部には溝部１２２に係合させる複数の突部１２６が形成されている。即ち、キャップ８の突部１２６を本体部５８の挿入部１２４に合わせることにより、本体部５８にキャップ８を被せ、キャップ８と本体部５８とを反対方向に回転させ、突部１２６を溝部１２２の終点まで移動させることにより、キャップ８と本体部５８とを結合することができる。
【００２７】
次に、本発明の管結合構造の実施形態について、図１０〜図１３を参照して説明する。図１０は分岐管部２４側の連結部、図１１は本体部５８側の連結部、図１２及び図１３は両者の着脱を示している。
【００２８】
挿入管部である、分岐管部２４側の連結管部２６、２７は、図１０の（Ａ）及び（Ｂ）に示すように、先端部を径小にし、その中途部に凹部１２８が形成されて水密手段であるＯリング６６が嵌合されている。また、凹部１２８より後方の位置に第１の突部として環状の係止突部１３０が形成されるとともに、この係止突部１３０と直交する方向に第２の突部として係合案内部１３２が選択的に形成されている。この実施例の係合案内部１３２は、直径方向の二箇所に形成されており、係止突部１３０と同一の高さである。また、この実施例では、係止突部１３０を環状としたが、所定の角度間隔で円弧状としてもよい。
【００２９】
これに対し、被挿入管部である、本体部５８の嵌合連結部７２には、図１１の（Ａ）〜（Ｃ）に示すように、開口部側に段階的に径大になる径大部１３４、１３６が段部を設けて形成され、径大部１３６には複数のスリット１３８が形成され、連結管部２６又は連結管部２７の挿入の案内をする挿入案内手段として、幅の狭い複数の挿入案内片１４０が係合案内部１３２に対応して形成されている。そして、径大部１３６には、連結管部２６又は連結管部２７の係止突部１３０に係合する係止凹部１４２が形成されている。径大部１３６の開口縁部には連結管部２６又は連結管部２７の挿入を容易にするためのテーパ面１４４が形成されている。
【００３０】
このような構成とすれば、図１２の（Ａ）及び（Ｂ）に示すように、挿入案内片１４０の位置に係合案内部１３２を合わせて連結管部２６又は連結管部２７を矢印Ａ方向に嵌合連結部７２に押し込むと、係合案内部１３２によって矢印Ｂで示す方向に挿入案内片１４０が押し広げられることにより、連結管部２６又は連結管部２７が嵌合連結部７２の終点、即ち、係止凹部１４２に係止突部１３０が係合され、連結管部２６又は連結管部２７が嵌合連結部７２に連結される。この状態で図１３の（Ｃ）及び（Ｄ）に示すように、連結管部２６又は連結管部２７を矢印Ｃで示す方向に数度だけ回動すると、係合案内部１３２がスリット１３８に挿入されて挿入案内片１４０が合成樹脂が持つ弾性によって復帰し、連結管部２６又は連結管部２７の係止突部１３０が嵌合連結部７２の係止凹部１４２に係止され、両者の離脱が阻止される。
【００３１】
また、この状態から矢印Ｃと反対方向に連結管部２６又は連結管部２７を回動して図１２の（Ａ）及び（Ｂ）に示す状態にすれば、係合案内部１３２で挿入案内片１４０が矢印Ｂ方向に押し広げられ、連結管部２６又は連結管部２７と嵌合連結部７２とを離脱させる方向、即ち、矢印Ｄ方向に力を加えることで、両者を容易に引き離すことができる。
【００３２】
そして、循環口アダプタの水流動作について、図１４〜図１６を参照して説明する。循環パイプユニット３４側から浴槽３０側に給水される場合には、図１４の矢印で示すように、分岐管部２４の連結管部２７を通じて本体部５８の吐出通路７６側を経て弁体９８を押し下げ、吐出口７７を通じて浴槽３０に水が流れ込む。このとき、弁体９２、９４は水圧により閉止状態となり、吸引口８３、８５側に水が流れることはない。このため、給湯時に本体部５８の前面側に熱湯が流れることがなく、安全性が高い給湯を行うことができるとともに、吸引通路７４と吐出通路７６とを分離した結果、吸引時にキャップ８のフィルタ１８に付着した湯垢等が給湯時に浴槽３０に戻されることがなく、不快感を生じることがない。
【００３３】
また、浴槽水を引き込む場合には、図１５及び図１６の矢印で示すように、吸引口８３、８５から吸引通路７４に浴槽水が流れ、弁体９２、９４が開かれることにより、吸引通路７４を経て嵌合連結部７２から分岐管部２４の連結管部２７に流れ込み、図示しない追焚回路を経て循環パイプユニット３４から分岐管部２４の連結管部２６に流れ、連結された外部ホース２８を通じて洗濯機等に浴槽水が供給される。このとき、本体部５８にはキャップ８が取り付けられ、このキャップ８のフィルタ１８によって湯垢等の流出を防止できる。湯垢等の付着したキャップ８は、本体部５８から回動させて容易に取り外し、洗浄することができる。この場合、本体部５８が循環口３２より低い位置に設置されているので、浴槽３０の循環口３２より低い水位の浴槽水までも吸引することができ、浴槽水の利用効率を高めることができる。
【００３４】
なお、上記実施例では分岐管部２４の連結管部２６を外部給水に使用したが、連結管部２６を本体部５８に連結させて連結管部２７側を外部給水に利用することができ、連結管部２６、２７は浴槽３０の取付け位置等に対応し、固定盤６０の取付け角度に応じて所望の方向に設定することができる。この場合、循環パイプユニット３４側の給水系及び追焚系の水流方向を連結管部２６、２７の使用形態、即ち、取付け方向に対応して変更設定することは言うまでもない。
【産業上の利用可能性】
【００３５】
本発明の管結合構造は、ワンタッチで結合できる構成であり、施工の容易性とともにメンテナンスの簡易化を図ることができるので、循環口アダプタと水管との結合等、広く管結合に適用でき、有用である。
【図面の簡単な説明】
【００３６】
【図１】循環口アダプタの実施例を示す正面図である
【図２】循環口アダプタの右側面図である。
【図３】カバー片を切り離す前のカバーを示す側面図である。
【図４】カバー片を切り離す前のカバーを示す背面図である。
【図５】図４のＶ−Ｖ線断面図である。
【図６】分岐管部及び本体部を示す図である。
【図７】図６の VII−VII 線断面図である。
【図８】本体部の分解構造を示す図である。
【図９】キャップ及び本体部を示す図である。
【図１０】本発明の管結合構造の実施形態に係る分岐管部側の連結部を示す図である。
【図１１】管結合構造における本体部側の連結部を示す図である。
【図１２】分岐管部の連結管部と本体部の嵌合連結部との着脱を示す図である。
【図１３】分岐管部の連結管部と本体部の嵌合連結部との着脱を示す図である。
【図１４】浴槽への給水動作を示す図である。
【図１５】浴槽水の吸引動作を示す図である。
【図１６】浴槽水の吸引動作を示す図である。
【符号の説明】
【００３７】
２６  第１の連結管部（挿入管部）
２７  第２の連結管部（挿入管部）
７２  嵌合連結部（被挿入管部）
１３０  係止突部（第１の突部）
１３２  係合案内部（第２の突部）
１３８  スリット
１４０  挿入案内片（挿入案内部）
１４２  係止凹部
【図１】
2004170067.tif 000003
【図２】
2004170067.tif 000004
【図３】
2004170067.tif 000005
【図４】
2004170067.tif 000006
【図５】
2004170067.tif 000007
【図６】
2004170067.tif 000008
【図７】
2004170067.tif 000009
【図８】
2004170067.tif 000010
【図９】
2004170067.tif 000011
【図１０】
2004170067.tif 000012
【図１１】
2004170067.tif 000013
【図１２】
2004170067.tif 000014
【図１３】
2004170067.tif 000015
【図１４】
2004170067.tif 000016
【図１５】
2004170067.tif 000017
【図１６】
2004170067.tif 000018